(57)【特許請求の範囲】
【請求項１】
高さが等しい３本以上の支柱を地面の一直線上に所定間隔をもって立設し、
隣り合う支柱の上部の間に桁を架設し、
前記桁にシャッターケースを取り付けるとともに、両端のシャッターケースの両端の支柱側の端部には側面カバーを取り付け、前記シャッターケースの隣り合う端部には側面カバーを装着しないことにより、それら隣り合う端部を出来るだけ近接して取付け、
両端の支柱の背面には前記シャッターケースよりも下側において1本のシャッター昇降用レールを、中間の支柱の背面には前記シャッターケースよりも下側において２本のシャッター昇降用レールを取付け、
前記シャッターケースの隣り合う端部に、上面板と正面板とからなり、シャッターケースの外面の輪郭形状とほぼ同じ輪郭形状を有する連結カバーを架け渡し、その上面板と正面板の端部同士を重ね合わせ、その重ね合わせた部分において前記シャッターケースに固着するとともに、前記上面板の上端部を前記桁に固着し、かつ、前記正面板の下端部を前記シャッター昇降用レールに固着して、前記隣り合うシャッターケースの間に生じる隙間を遮蔽してなること、
を特徴とする連設シャッター装置。
【発明の詳細な説明】
【技術分野】
【０００１】
本発明は、連設シャッター装置、すなわち、それぞれ独立して開閉される単体のシャッター本体を収容するシャッターケースを左右の支柱の上部間に取付け、前記左右の支柱に前記シャッター本体を昇降自在に案内するレールを設けたシャッター装置を横方向に連設してなるものに関する。
【背景技術】
【０００２】
図５は、単体のシャッター本体を有するシャッター装置の一例を示す。このシャッター装置ＳＳＡは、左右の支柱１の上部間に桁２を上下に隔てて架設し、それらの桁と両側の支柱の上部に多数の横スラットを互いに屈曲自在に連結してなる単体のシャッター本体（図示せず）の巻取用回転ドラム（図示せず）を収容したシャッターケース３を取付けるとともに、両側の支柱１の背面側（敷地内側）にそのシャッター本体の各スラットの長手方向端部を昇降自在に案内するレール４を設けて構成されている。
【０００３】
そして、シャッターケース３の両側面には、図６に示すように、回転ドラムの軸受などが突出し、また、そのシャッターケース３の側面は支柱１及びレール４の側面よりも内側に引っ込んでいて窪みができるので、意匠的美観を良くするため、図５、図６及び図７に示すように、支柱１及びレール４の側面と同一面に側面を有する側面カバー５が装着されている。
【特許文献１】とくになし
【発明の開示】
【発明が解決しようとする課題】
【０００４】
図８に例示するように、図５に示された単体シャッター装置を横方向に２機（ＳＳＡ1，ＳＳＡ2）連設することが考えられる。しかしながら、上述したように、従来の単体シャッター装置ＳＳＡにおけるシャッターケース３の側面カバー５は、支柱１及びレール４の側面と同一面に側面を有するため、図８に示すように２機の単体シャッター装置を横方向に近接して設置することが不可能である。従って、従来の単体シャッター装置を単純に２機並設する場合は、その間に隙間が生じることとなり、美観上好ましくないばかりでなく、隙間から中を覗き見られるので、防犯上も好ましくない。近接する支柱側の側面カバーを装着しなければ、ある程度接近させて設置することが可能であるが、その場合は、両側のシャッターケース３の間から雨水や塵埃などがレール４などに侵入することを阻止できない。
【０００５】
本発明は、上記の点に鑑みてなされたものであり、解決しようとする課題は、単体シャッター装置を横方向に複数個連設して構成される連設シャッター装置において、単体シャッター装置のシャッターケースを出来るだけ接近させて設置でき、しかも、隣り合うシャッターケースの間から雨水や塵埃などがレールなどに侵入しないようにすることにある。
【課題を解決するための手段】
【０００６】
上記の課題を解決するため、本発明に係る連設シャッター装置は、
(a)高さが等しい３本以上の支柱を地面の一直線上に所定間隔をもって立設し、
(b)隣り合う支柱の上部の間に桁を架設し、
(c)前記桁にシャッターケースを取り付けるとともに、両端のシャッターケースの両端の支柱側の端部には側面カバーを取り付け、前記シャッターケースの隣り合う端部には側面カバーを装着しないことにより、それら隣り合う端部を出来るだけ近接して取付け、
(d)両端の支柱の背面には前記シャッターケースよりも下側において1本のシャッター昇降用レールを、中間の支柱の背面には前記シャッターケースよりも下側において２本のシャッター昇降用レールを取付け、
(e)前記シャッターケースの隣り合う端部に、上面板と正面板とからなり、シャッターケースの外面の輪郭形状とほぼ同じ輪郭形状を有する連結カバーを架け渡し、その上面板と正面板の端部同士を重ね合わせ、その重ね合わせた部分において前記シャッターケースに固着するとともに、前記上面板の上端部を前記桁に固着し、かつ、前記正面板の下端部を前記シャッター昇降用レールに固着して、前記隣り合うシャッターケースの間に生じる隙間を遮蔽してなること、
を特徴としている。
【発明の効果】
【０００７】
本発明によれば、隣接して取り付けられるシャッターケースの隣り合う端部には側面カバーが装着されないので、それら隣り合う端部を出来るだけ近接して取付けることができる。そして、隣り合う端部におけるシャッターケースの外面にその外面の輪郭形状とほぼ同じ輪郭形状を有する連結カバーを被覆し固着して、隣接して取り付けられたシャッターケースの間に生じる隙間が遮蔽されるので、シャッターケースは全長が一体的に連なり、隙間が露見しない。従って、美観が向上するばかりでなく、隙間からの雨水や塵埃などの侵入がないため、これらの侵入によるシャッターの開閉不調の虞がない。
【０００８】
また、連結カバーは、上面板と正面板とに分割して構成されるので、連結カバーの製作が容易である。また、連結カバーは、上面板と正面板とに分割して構成され、上面板と正面板の端部同士を重ね合わせ、その重ね合わせた部分においてシャッターケースに固着され、上面板の上端部が桁に固着され、正面板の下端部がレールに固着されるので、連結カバーのシャッターケースに対する取付も容易であり、連結カバーの取付安定性が良い。
【０００９】
さらに、中間の支柱に隣接して設置されるシャッター装置のレールを固着するので、支柱数の減少による設置施工数削減効果と支柱の幅寸法の増加による補強効果が得られる。
【発明を実施するための最良の形態】
【００１０】
次に、本発明の実施の形態について図１〜図４の図面に基づいて説明する。
図１は、本発明を単体シャッター装置を２個連設して２連シャッター装置ＤＳＡとして実施する場合の一例を示すものであり、（ａ）は背面図、（ｂ）は側面図である。図２は図１（ａ）の簡略した横断面図、図３は図２のＸ−Ｘ線断面図、図４は図３のＹ−Ｙ線断面図である。図５以下の従来技術の構成要素と同一又は相当の部材には、同一の符号を用いる。
【００１１】
図１において、中央に配置された支柱１Ｎは、左右両側に配置された支柱１の約２倍の幅を有する。そして、互いに隣り合う支柱１，１Ｎ；１Ｎ，１の上部の間に上下２本ずつの桁２，２が適宜の間隔をもって架設されている。図３の２１，２２はそれらの桁２，２を支柱１，１Ｎに取り付けるための固定金具及びボルトである。また、図３の６は上下の桁２，２の間の空間を遮蔽する遮蔽板である。
【００１２】
中央の支柱１Ｎの背面（敷地内側面）には、下側の桁２よりも下側において、図２及び図４に示すように、左右の単体シャッター装置ＳＳＡ1，ＳＳＡ2用の一方のレール４ａ、４ａが、それらの背面を近接させた状態で固着されている。これに対して、両側の支柱１、１の敷地内側面には、同様に下側の桁２よりも下側において、それぞれ左右の単体シャッター装置用の他方のレール４ｂ，４ｂが固着されている。
【００１３】
支柱１，１Ｎの上部間に架設された上下２本の桁２，２、及び支柱１Ｎ，１の上部間に架設された上下２本の桁２，２には、それぞれドラム７を図示されていない軸受により支持しているシャッターケース３が既知の方法により取り付けられている。そして、そのシャッターケース３の支柱１，１側の端部には、側面カバー５が取り付けられている。しかし、同シャッターケース３の中央の支柱１Ｎ側の端部には、側面カバーは、装着されていない。従って、二つのシャッターケース３の隣り合う側面は若干離間され、その間に空隙ｓが生じる。しかし、いずれのシャッターケース３も、桁２の正面側又は背面側から取付けられるので、シャッターケース３の隣り合う側面を出来る限り接近させることが出来るため、空隙ｓの幅は小さい。
【００１４】
図２及び図３における８は、その空隙ｓを外部に対して遮蔽する連結カバーである。この連結カバー８は、空隙ｓの幅よりも大きい幅を有する金属板で形成され、上面板８１と、正面板８２とをそれらの一端部を重ね合わせた状態で接合して、ほぼシャッターケース３の上面壁３１と正面壁３２の外面の輪郭形状に近似する輪郭形状を有している。上面板８１は、シャッターケース３の上面壁３ａの上面を被覆し、一端部は上側の桁２にねじｎ１等により固着され、上面板８１の他端部はシャッターケース３の上面壁３１の正面側端部において、これに正面板８２の一端部を重ね合わせ、その重ね合わせた部分からねじｎ２をシャッターケース３の内側に固着されているねじ受け部材３３にねじ込んで、結合されている。正面板８２は、シャッターケース３の正面に沿って同ケース３の下端部まで延び、レール４aの上端部にねじｎ３により固着されている。
【００１５】
このように、空隙ｓの幅よりも大きい幅を有する連結カバー８が両側のシャッターケース３の端部に掛け渡されて固着されることにより、空隙ｓは完全に密閉される。従って、その空隙に雨水や塵埃などが浸入する虞はないとともに、シャッターケース３の対向する側面が外に露見されない。
【００１６】
図１（ｂ）及び図４の９は、レール４の敷地内側面に取り付けられたシャッター開閉用コントローラであり、図１（ｂ）の１０は、左右一対のレール４の対向面に２段階の高さに設置された安全装置用異物センサである。
【００１７】
上には、単体シャッター装置を２個連設する場合に付いて説明したが、本発明は、単体シャッター装置を３個以上連設する場合にも、同様に適用することができる。また、各単体シャッター装置に備えられるシャッター本体は、スラットを縦に連結したもののほか、巻取り可能な格子で構成されるものであっても良い。
【図面の簡単な説明】
【００１８】
【図１】本発明に係る２連シャッター装置の一例を示すものであり、（ａ）は背面図、（ｂ）は側面図。
【図２】図１（ａ）の簡略した横断面図。
【図３】図２のＸ−Ｘ線断面図。
【図４】図３のＹ−Ｙ線断面図。
【図５】単体のシャッターを有する従来のシャッター装置の一例を示す斜視図。
【図６】従来のシャッター装置のシャッターケースとこれに装着される側面カバーを示す斜視図。
【図７】同じく、側面カバーが取り付けられた状態を示す斜視図。
【図８】従来のシャッター装置を連設して２連シャッター装置とする場合の問題点を説明する横断面図。
【符号の説明】
【００１９】
ＳＳＡ      単体シャッター装置
ＤＳＡ      連設シャッター装置
１、１Ｎ    支柱
２          桁
３          シャッターケース
４、４ａ、４ｂ      レール
ｓ          隙間
５          側面カバー
８          連結カバー
【図１】
0004667267.tif 000002
【図２】
0004667267.tif 000003
【図３】
0004667267.tif 000004
【図４】
0004667267.tif 000005
【図５】
0004667267.tif 000006
【図６】
0004667267.tif 000007
【図７】
0004667267.tif 000008
【図８】
0004667267.tif 000009